(57)【要約】【課題】各銘柄のたばこ商品と対応する収容領域をオペレータが容易且つ迅速に認識できるようにする。【解決手段】たばこ什器１００は、それぞれ複数のたばこ商品１１をオペレータにより取り出し可能に収容する複数の収容領域（マガジン１５）と、たばこ商品１１の銘柄を指定する銘柄指定情報を取得する銘柄指定情報取得部と、画像を投射することで画像の投射範囲における表示を行う画像投射部（プロジェクタ２０）と、画像投射部の動作制御を行う投射制御部（制御部２２）とを備えている。投射制御部は、複数の収容領域のうち銘柄指定情報取得部が取得した銘柄指定情報と対応する収容領域を特定しうる態様で画像投射部に表示を行わせる制御を行う。【選択図】図１
2019216881.tif 000002
【特許請求の範囲】
【請求項１】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行うたばこ什器。
【請求項２】
前記投射制御部は、前記銘柄指定情報と対応する前記収容領域を周囲と比べて目立たせる表示を前記画像投射部に行わせる請求項１に記載のたばこ什器。
【請求項３】
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせる請求項１又は２に記載のたばこ什器。
【請求項４】
前記投射制御部は、前記取出要求と対応するたばこ商品を前記収容領域から取り出すべき個数を示す個数指定情報の表示を前記画像投射部に行わせる請求項３に記載のたばこ什器。
【請求項５】
前記投射制御部は、前記取出要求と対応するたばこ商品が、店舗に設置された複数の販売端末のうちいずれの販売端末での販売用であるかを示す販売端末指定情報の表示を前記画像投射部に行わせる請求項３又は４に記載のたばこ什器。
【請求項６】
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせる請求項３から５のいずれか一項に記載のたばこ什器。
【請求項７】
前記誤取出動作検出部は、
前記複数の収容領域からの前記たばこ商品の取り出し動作を撮像するカメラと、
前記カメラによる撮像結果を用いた画像認識により前記誤取出動作の有無を判定する誤取出動作判定部と、
を含んで構成されている請求項６に記載のたばこ什器。
【請求項８】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記誤取出動作検出部は、前記フラップ部の前傾動作を検出する前傾検出部を含んで構成されている請求項６に記載のたばこ什器。
【請求項９】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前後方向における前記スライダの位置を検出するスライダ位置検出部を含んで構成されている請求項６に記載のたばこ什器。
【請求項１０】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前記スライダの後方に設けられていて、前記スライダとの距離又は最後尾の前記たばこ商品との距離を検出する測距センサを含んで構成されている請求項６に記載のたばこ什器。
【請求項１１】
前記複数の収容領域の各々における前記たばこ商品の残個数を管理する残個管理部を更に備え、
前記投射制御部は、前記残個管理部による管理結果に応じて、前記収容領域への前記たばこ商品の補充を促す補充報知表示を前記画像投射部に行わせる請求項１から１０のいずれか一項に記載のたばこ什器。
【請求項１２】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
前後方向における前記スライダの位置に応じて揺動する揺動部材と、
を備え、
前記残個管理部は、前記揺動部材の揺動を検出する揺動検出部を含んで構成されている請求項１１に記載のたばこ什器。
【請求項１３】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記収容領域を有する本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記残個管理部は、前記フラップ部の前傾動作を検出する前傾検出部を含んで構成されている請求項１１に記載のたばこ什器。
【請求項１４】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前後方向における前記スライダの位置を検出するスライダ位置検出部を含んで構成されている請求項１１に記載のたばこ什器。
【請求項１５】
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前記スライダの後方に設けられていて、前記スライダとの距離又は最後尾の前記たばこ商品との距離を検出する測距センサを含んで構成されている請求項１１に記載のたばこ什器。
【請求項１６】
前記複数の収容領域の各々における前記たばこ商品の残個数を管理する残個管理部を更に備え、
前記投射制御部は、
前記残個管理部による管理結果に応じて、前記収容領域への前記たばこ商品の補充を促す補充報知表示を前記画像投射部に行わせ、
且つ、前記補充報知表示と前記取出報知表示とを互いに異なる態様で並行して前記画像投射部に行わせることが可能である請求項３から１０のいずれか一項に記載のたばこ什器。
【請求項１７】
前記投射制御部は、通常時においては、前記収容領域に収容されている前記たばこ商品と対応する通常表示を当該収容領域において行わせ、
前記銘柄指定情報取得部が前記銘柄指定情報を取得した場合には、当該銘柄指定情報と対応する前記収容領域において、前記通常表示とは異なる態様での特定報知表示を行わせる請求項１から１６のいずれか一項に記載のたばこ什器。
【請求項１８】
前記投射制御部は、
前記銘柄指定情報取得部が前記銘柄指定情報を取得した場合には、当該銘柄指定情報と対応する前記収容領域において、前記通常表示と前記特定報知表示との双方を行わせる請求項１７に記載のたばこ什器。
【請求項１９】
前記収容領域に新規のたばこ商品を収容させる旨の要求である新規収容要求を受け付ける新規収容要求受付部を備え、
前記投射制御部は、前記新規収容要求受付部が前記新規収容要求を受け付けた場合に、前記新規のたばこ商品を収容する前記収容領域の候補を案内する候補領域案内表示を前記画像投射部に行わせる請求項１から１８のいずれか一項に記載のたばこ什器。
【請求項２０】
前記オペレータは店舗の店員であり、
前記銘柄指定情報取得部は、前記店員により入力される前記銘柄指定情報を取得する請求項１から１９のいずれか一項に記載のたばこ什器。
【発明の詳細な説明】
【技術分野】
【０００１】
本発明は、たばこ什器に関する。
【背景技術】
【０００２】
一般的なコンビニエンスストアなどの店舗では、様々な銘柄のたばこ商品がいわゆるたばこ什器に銘柄ごとに陳列されている。すなわち、たばこ什器には、たばこ商品の銘柄ごとに収容領域が設定されており、各収容領域には、対応する銘柄のたばこ商品が収容されている。なお、ここでいうたばこ商品とは、喫煙に供される個々の紙巻たばこではなく、複数本の紙巻たばこを収容している直方体状のパッケージや他のたばこ製品を収容する直方体状のパッケージを意味している。
【０００３】
購買者がたばこ商品を購買する際には、（１）購買者が銘柄を指定するとその銘柄のたばこ商品を店員が什器から選び取るか、又は、（２）購買者が自ら所望の銘柄のたばこ商品を什器から取り出して購買するようになっている。
【０００４】
特許文献１には、たばこ商品の残個数が少なくなったときにランプが点灯するように構成されたたばこ什器について記載されている。
【先行技術文献】
【特許文献】
【０００５】
【特許文献１】国際公開０３／０３９３０１号パンフレット
【発明の概要】
【発明が解決しようとする課題】
【０００６】
たばこ商品には多数の銘柄が存在する。このため、たばこ什器からのたばこ商品の取り出しの際や、たばこ什器へのたばこ商品の補充の際などにおいて、店員などのオペレータが、各銘柄のたばこ商品と対応する収容領域を迅速に認識することは、必ずしも容易ではない。
【０００７】
本発明は、上記の課題に鑑みてなされたものであり、各銘柄のたばこ商品と対応する収容領域をオペレータが容易且つ迅速に認識できるようにするたばこ什器を提供するものである。
【課題を解決するための手段】
【０００８】
本発明によれば、それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行うたばこ什器が提供される。
【発明の効果】
【０００９】
本発明によれば、各銘柄のたばこ商品と対応する収容領域をオペレータが容易且つ迅速に認識できるようにすることが可能となる。
【図面の簡単な説明】
【００１０】
【図１】第１実施形態に係るたばこ什器の斜視図である。
【図２】第１実施形態に係るたばこ什器の側面図である。
【図３】第１実施形態に係るたばこ什器が備えるマガジンの斜視図である。
【図４】第１実施形態に係るたばこ什器のブロック図である。
【図５】第１実施形態に係るたばこ什器の部分拡大の正面図であり、通常時の状態を示す。
【図６】第１実施形態に係るたばこ什器の部分拡大の正面図であり、マガジンの前面壁において行われる取出報知表示の例を示す。
【図７】図７（ａ）はマガジンとは異なる場所に配置されている表示スクリーンにおいて行われる取出報知表示の例を示す正面図であり、図７（ｂ）は表示スクリーンにおいて行われる誤取出報知表示の例を示す正面図である。
【図８】図８（ａ）はマガジンの前面壁において行われる取出報知表示の他の例を示す正面図であり、図８（ｂ）は表示スクリーンにおいて行われる取出報知表示の他の例を示す正面図である。
【図９】図９（ａ）は店舗の販売カウンタ周辺を示す斜視図であり、図９（ｂ）はマガジンの前面壁において行われる取出報知表示の更に他の例を示す正面図であり、図９（ｃ）は表示スクリーンにおいて行われる取出報知表示の更に他の例を示す正面図である。
【図１０】第２実施形態に係るたばこ什器の正面図である。
【図１１】第２実施形態に係るたばこ什器の表示スクリーンにおいて行われる誤取出報知表示の例を示す正面図である。
【図１２】第３実施形態に係るたばこ什器の模式的な側断面図である。
【図１３】第３実施形態に係るたばこ什器のマガジンの前面壁において行われる表示の例を示す正面図である。
【図１４】第４実施形態に係るたばこ什器のマガジンの前面壁において行われる補充報知表示の例を示す正面図である。
【図１５】図１５（ａ）は第４実施形態に係るたばこ什器の表示スクリーンにおいて行われる補充報知表示の例を示す正面図であり、図１５（ｂ）は第４実施形態に係るたばこ什器の表示スクリーンにおいて行われる誤補充報知表示の例を示す正面図である。
【図１６】第４実施形態に係るたばこ什器のマガジンの前面壁において行われる補充報知表示の他の例を示す正面図である。
【図１７】図１７（ａ）は第５実施形態に係るたばこ什器の模式的な側断面図、図１７（ｂ）は第５実施形態に係るたばこ什器の棚板に設けられた電極ユニットの平面図、図１７（ｃ）は第５実施形態に係るたばこ什器のマガジンの底面図である。
【図１８】図１８（ａ）及び図１８（ｂ）は第６実施形態に係るたばこ什器のマガジンの動作を説明するための模式的な平面図である。
【図１９】図１９（ａ）は第７実施形態に係るたばこ什器のマガジンの前端部の斜視図であり、図１９（ｂ）は第７実施形態に係るたばこ什器のマガジンの前端部及びその近傍の部分を示す側面図である。
【図２０】図２０（ａ）は第８実施形態に係るたばこ什器が備える操作タブレットのメニュー画面の例を示す図であり、図２０（ｂ）は第８実施形態に係るたばこ什器のマガジンの前面壁において行われる候補領域案内表示の例を示す正面図であり、図２０（ｃ）は候補領域案内表示の実行中における操作タブレットの画面の例を示す図である。
【図２１】図２１（ａ）及び図２１（ｂ）の各々は、第９実施形態に係るたばこ什器において行われる報知表示の例を示す正面図である。
【図２２】第１０実施形態に係るたばこ什器の表示スクリーンにおいて行われる報知表示の例を示す正面図である。
【図２３】第１１実施形態に係るたばこ什器の正面図である。
【図２４】図２４（ａ）及び図２４（ｂ）は第１１実施形態に係るたばこ什器の部分拡大の正面図である。
【図２５】第１２実施形態に係るたばこ什器の動作の一例を示す模式的な斜視図である。
【図２６】第１２実施形態に係るたばこ什器の動作の他の一例を示す模式的な斜視図である。
【発明を実施するための形態】
【００１１】
以下、本発明の実施形態について、図面を用いて説明する。なお、すべての図面において、同様の構成要素には同一の符号を付し、適宜に説明を省略する。
【００１２】
〔第１実施形態〕
先ず、図１から図９を用いて第１実施形態を説明する。
本実施形態に係るたばこ什器１００は、それぞれ複数のたばこ商品１１をオペレータ（例えば、店員）により取り出し可能に収容する複数の収容領域（例えば、マガジン１５）と、たばこ商品１１の銘柄を指定する銘柄指定情報を取得する銘柄指定情報取得部２７（図４）と、画像を投射することで画像の投射範囲における表示を行う画像投射部（プロジェクタ２０）と、画像投射部の動作制御を行う投射制御部（制御部２２）とを備えている。投射制御部は、複数の収容領域のうち銘柄指定情報取得部２７が取得した銘柄指定情報と対応する収容領域を特定しうる態様で画像投射部に表示を行わせる制御を行う。
【００１３】
本実施形態によれば、複数の収容領域（マガジン１５）のうち銘柄指定情報取得部２７が取得した銘柄指定情報と対応する収容領域を特定しうる態様で画像投射部に表示を行わせる制御を投射制御部が行うので、各銘柄のたばこ商品１１と対応する収容領域をオペレータが容易且つ迅速に認識できるようにすることが可能となる。
よって、例えば、たばこ商品１１の取り出しや補充などをオペレータが容易且つ迅速に行うことが可能となる。
【００１４】
ここでいうたばこ商品１１は、喫煙に供される個々の紙巻たばこではなく、複数本の紙巻たばこを収容している直方体状のパッケージや、紙巻たばこ以外の他のたばこ製品を収容する直方体状のパッケージを意味している。他のたばこ製品としては、嗅ぎたばこ、パイプたばこのほか、それら他のたばこ製品に用いられる吸引具等の関連物品を挙げることができる。より詳細には、他のたばこ製品としては、エアロゾル吸引器の一種である電子たばこの関連物品を挙げることができる。
【００１５】
たばこ商品１１は、銘柄ごとに、互いに異なるマガジン１５に収容される。なお、同一銘柄のたばこ商品１１が複数のマガジン１５にそれぞれ収容されてもよい。
【００１６】
図１及び図２に示すように、本実施形態の場合、たばこ什器１００は、マガジン什器６０と、投射ユニット１０と、を備えて構成されている。
【００１７】
マガジン什器６０は、例えば、複数の棚板１３を有するマガジン収容棚１２と、棚板１３に搭載されている複数のマガジン１５と、当該マガジン什器６０の前面部の横幅方向における中央部に配置されている表示スクリーン１７と、を備えて構成されている。本実施形態の場合、マガジン１５が収容領域を構成している。
マガジン収容棚１２に搭載されているマガジン１５の数は特に限定されないが、本実施形態の場合、例えば、マガジン収容棚１２は、表示スクリーン１７の左右にそれぞれ５段ずつ設けられている棚板１３を備え、各棚板１３に５つずつのマガジン１５が搭載されている。
【００１８】
投射ユニット１０は、例えば、左右一対の支柱部１８と、これら支柱部１８によって支持されている支持部１９と、を備えている。
例えば、一方の支柱部１８は、マガジン什器６０の左側の側壁部に沿って配置されており、他方の支柱部１８は、マガジン什器６０の右側の側壁部に沿って配置されている。支持部１９は、例えば、左右一対の側壁部１９ａと、これら側壁部１９ａの前端どうしを接続している前面壁部１９ｂと、を備えている。左右の側壁部１９ａは、それぞれ左右の支柱部１８によって支持されている。前面壁部１９ｂは、マガジン什器６０の前面よりも前方に配置されており、且つ、マガジン什器６０よりも上方に配置されている。
投射ユニット１０は、更に、プロジェクタ２０と、カメラ２１と、制御部２２と、を備えている。これらプロジェクタ２０、カメラ２１及び制御部２２は、例えば、支持部１９の前面壁部１９ｂの背面側に設けられている。
【００１９】
図３に示すように、マガジン１５は、複数のたばこ商品１１が前後に一列に並ぶ整列状態で搭載される搭載部３１と、搭載部３１に沿って前後に移動可能に設けられているスライダ３５と、スライダ３５を前方に向けて付勢している付勢部３６とを備えている。
搭載部３１は、例えば、前面壁１６と、左右一対の側壁３２と、底板部３３と、後面壁３４と、を備えて構成されている。なお、前面壁１６は、側壁３２及び底板部３３の前端部に固定されていてもよいし、前傾可能な状態で一対の側壁３２の前端部により保持されていてもよい。
スライダ３５は、搭載部３１に搭載されたたばこ商品１１を前方に付勢している。搭載部３１におけるたばこ商品１１の残個数が減るほど、スライダ３５は前方に移動するようになっている。
【００２０】
付勢部３６は、スライダ３５に搭載されている。付勢部３６は、例えば、渦巻き状に巻回された板バネであってもよいし、ワイヤリールであってもよい。
後述する他の実施形態の図１７（ｃ）は、付勢部３６がワイヤリールである例を示している。ワイヤリールは、スライダ３５に搭載されているケースと、渦巻き状に巻回されてケース内に収容されている板バネと、ケースに出し入れ可能に収容されているワイヤ６８と、ワイヤ６８が巻回されているリールと、を備えている。ワイヤ６８の先端部６８ａは、搭載部３１の前端部に固定されている。板バネの付勢によりワイヤ６８がリールに巻き取られることによって、ワイヤ６８がケース内に引き込まれるとともに、スライダ３５が前方に移動する。逆に、スライダ３５を後方に移動させると、板バネの付勢に抗してワイヤ６８がケースから引き出される。
【００２１】
図４に示すように、たばこ什器１００は、例えば、上述のプロジェクタ２０、カメラ２１、制御部２２及び銘柄指定情報取得部２７の他に、不揮発性メモリである記憶部２６と、バーコードリーダ２８と、を備えている。
制御部２２は、制御用プログラムを記憶保持しているＲＯＭ２４と、この制御用プログラムに従って制御動作を実行するＣＰＵ２３と、ＣＰＵ２３の作業領域などとして機能するＲＡＭ２５と、を備えて構成されている。
制御部２２は、プロジェクタ２０及びカメラ２１の動作制御や、記憶部２６に記憶されている情報の読み出し及び記憶部２６への情報の書き込み（記憶させる処理）などを行う。
制御部２２には、銘柄指定情報取得部２７が取得した銘柄指定情報などが入力される他、カメラ２１により撮像された映像や、バーコードリーダ２８により読み取られたバーコードの情報などが入力されるようになっている。
【００２２】
銘柄指定情報取得部２７は、例えば、たばこ什器１００が設置される店舗の店員（オペレータ）により操作される操作タブレットであることが挙げられる。例えば、店員が操作タブレットのタッチパネル式の操作画面に対して、たばこ商品の取り出しを選択することで取出要求を入力し、更に、表示される銘柄リストの中から選択操作を行うことによって、たばこ什器１００から取り出す銘柄の指定を行うことができるようになっている。または、操作タブレットのマイクに向けて店員が銘柄名を音声入力することによって、銘柄の指定が可能であってもよい。
このように、オペレータは店舗の店員であり、銘柄指定情報取得部２７は、店員により入力（例えば、選択操作による入力又は音声入力）される銘柄指定情報を取得する。
【００２３】
本実施形態の場合、プロジェクタ２０は、複数のマガジン１５の前面壁１６と、表示スクリーン１７と、を含む範囲に画像を投射することで、当該範囲における表示を行う。すなわち、プロジェクタ２０により投射される画像は、複数のマガジン１５の前面壁１６及び表示スクリーン１７において表示される。プロジェクタ２０が有する光源の数は、特に限定されず、１個でもよいが、複数であることが好ましい。
制御部２２は、プロジェクタ２０により投射される画像を生成する処理と、この画像をプロジェクタ２０によって投射させる処理と、を行う。
【００２４】
記憶部２６には、各銘柄のたばこ商品１１が複数のマガジン１５のうちいずれのマガジン１５に収容されているのかを示す情報が記憶（登録）されている。
より詳細には、記憶部２６には、例えば、各銘柄のたばこ商品１１の銘柄名、タール値及びニコチン値、及び価格などの銘柄情報が記憶されているとともに、銘柄情報と対応付けて、当該たばこ商品１１が収容されているマガジン１５がいずれのマガジン１５であるかを示すマガジン位置情報が記憶されている。
更に、記憶部２６には、プロジェクタ２０が設置されている位置を基準とした各マガジン１５の前面壁１６の位置情報が記憶されている。
制御部２２は、各前面壁１６の位置情報に基づいて、各前面壁１６に表示される画像を制御することが可能となっている。
【００２５】
カメラ２１は、複数のマガジン１５の前面壁１６の映像を連続的に撮像し、撮像結果を制御部２２に出力する。
制御部２２は、カメラ２１から入力された撮像結果を用いた画像認識によって、オペレータが行うマガジン１５からのたばこ商品１１の取り出し動作が、取出要求と対応するたばこ商品１１の取り出し動作であるか否かを判定する。換言すれば、制御部２２及びカメラ２１によって、取出要求と対応するマガジン１５からのたばこ商品１１の取り出し動作である正常取出動作、又は、取出要求とは異なるマガジン１５からのたばこ商品１１の取り出し動作である誤取出動作を検出できるようになっている。
【００２６】
一例として、制御部２２は、オペレータが取り出したたばこ商品１１の画像に対する画像認識を行うことによって、取り出されたたばこ商品１１の種類及び銘柄指定情報を判定し、正常取出動作又は誤取出動作を検出するようになっている。
或いは、制御部２２は、オペレータによるたばこ商品１１の取り出し動作がいずれのマガジン１５から行われたかを画像認識により判定（手の動きなどにより判定）し、更に、たばこ商品１１の取り出し動作が行われたマガジン１５のマガジン位置情報が取出要求と対応するか否かを判定することによって、正常取出動作又は誤取出動作を検出するようになっていてもよい。
【００２７】
例えば、マガジン１５へのたばこ商品１１の補充の際などにおいて、店員がたばこ商品１１又はたばこ商品１１のカートンに付されたバーコードをバーコードリーダ２８に読み取らせる処理を行うと、対応するマガジン１５の前面壁１６を赤く光らせるなどの処理を制御部２２が行う。
なお、一度に補充するたばこ商品１１の銘柄が複数の場合、例えば、各銘柄のバーコードをバーコードリーダ２８に読み取らせる処理をオペレータが連続して（立て続けに）行った後、銘柄ごとにマガジン１５へのたばこ商品１１の補充が完了する度に、順次（例えば、バーコードの読み取りが行われた順に）、次の銘柄と対応するマガジン１５の前面壁１６を赤く光らせるなどの処理を行ってもよい。
【００２８】
また、たばこ什器１００は、マガジン１５へのたばこ商品１１の補充動作の正誤を検出する誤補充動作検出部を備えていてもよい。制御部２２は、誤取出動作の判定の際と同様に、画像認識を用いた判定などにより、誤補充動作を検出することができる。そして、誤補充動作を検出した場合に、補充動作が誤りである旨の誤補充報知表示をプロジェクタ２０に行わせる。
すなわち、たばこ什器１００は、補充報知表示とは異なる収容領域（例えばマガジン１５）へのたばこ商品１１の補充動作である誤補充動作を検出する誤補充動作検出部を備え、投射制御部（制御部２２）は、誤補充動作が発生した場合に、補充動作が誤りである旨の誤補充報知表示を画像投射部（プロジェクタ２０）に行わせるようになっていてもよい。
更に、誤補充動作検出部は、例えば、複数の収容領域からのたばこ商品１１の取り出し動作を撮像するカメラ２１と、カメラ２１による撮像結果を用いた画像認識により誤補充動作の有無を判定する誤取出動作判定部（制御部２２）と、を含んで構成されている。
【００２９】
また、制御部２２は、カメラ２１による撮像結果を用いた画像認識により、オペレータの動作が、マガジン１５からのたばこ商品１１の取り出し動作であるか、又は、マガジン１５へのたばこ商品１１の補充動作であるかの判別が可能であってもよい。
マガジン１５からたばこ商品１１を取り出す場合には、マガジン１５がマガジン収容棚１２の棚板１３に載置されたままの状態で当該マガジン１５からたばこ商品１１が取り出されるのに対し、マガジン１５に対してたばこ商品１１を補充する場合には、一旦、マガジン１５がマガジン収容棚１２から前方に引き抜かれるため、制御部２２は、例えば、この引き抜き動作の有無を画像認識により判定することで、取り出し動作であるか又は補充動作であるかを判別する。
【００３０】
また、報知表示の種類（例えば、取出報知表示又は補充報知表示のいずれであるか）に応じて、マガジン１５の前面壁１６や表示スクリーン１７に対する投影色を異ならせることによって、オペレータが報知表示の種類を容易に識別できるようになっていることも好ましい。
【００３１】
図５は、たばこ商品の取出要求などが発生していない通常時において、プロジェクタ２０により各マガジン１５の前面壁１６において表示される画像（通常表示３７）の例を示す図である。
図５に示すように、各マガジン１５の前面壁１６には、通常表示３７として、各マガジン１５に収容されているたばこ商品１１の銘柄名などが表示されている。なお、通常表示３７として表示される情報には、銘柄名の他、各たばこ商品１１の価格やタール値及びニコチン値などが含まれていてもよい。
【００３２】
図６は、たばこ商品の取出要求が発生している状態において、プロジェクタ２０により当該取出要求と対応するたばこ商品１１が収容されているマガジン１５の前面壁１６において表示される画像（取出報知表示３８）の例を示す図である。
取出報知表示３８は、通常表示３７よりも目立つ表示である。例えば、通常表示３７は白色などの表示である場合に、取出報知表示３８は赤色などの表示とすることができる。取出報知表示３８は、赤色などの光を点滅させる表示などであってもよい。
したがって、取出報知表示３８が行われる前面壁１６を有するマガジン１５は、周囲と比べて目立つこととなる。
すなわち、投射制御部（制御部２２）は、銘柄指定情報と対応する収容領域（マガジン１５）を周囲と比べて目立たせる表示を画像投射部（プロジェクタ２０）に行わせる。
これにより、オペレータは、たばこ商品１１を取り出すべき収容領域（マガジン１５）の位置を容易且つ迅速に認識できるため、収容領域からのたばこ商品１１の取り出しを迅速に行うことができる。
なお、上記とは逆に、銘柄指定情報と対応する収容領域の周囲の収容領域（例えばその前面壁１６）に光を照射する一方で、銘柄指定情報と対応する収容領域には光を照射しないことによっても、銘柄指定情報と対応する収容領域を周囲と比べて目立たせる表示を行うことが可能である。
【００３３】
このように、銘柄指定情報取得部２７は、たばこ商品の取出要求と、当該取出要求と対応する銘柄指定情報とを取得（本実施形態の場合、店員による入力により取得）し、投射制御部（制御部２２）は、収容領域（マガジン１５）からのたばこ商品１１の取り出しを促す取出報知表示３８を画像投射部（プロジェクタ２０）に行わせる。
【００３４】
また、このように、投射制御部（制御部２２）は、通常時においては、収容領域（マガジン１５）に収容されているたばこ商品１１と対応する通常表示３７を当該収容領域において行わせ、銘柄指定情報取得部２７が銘柄指定情報を取得した場合には、当該銘柄指定情報と対応する収容領域において、通常表示３７とは異なる態様での特定報知表示（例えば取出報知表示３８）を行わせる。
より詳細には、投射制御部（制御部２２）は、銘柄指定情報取得部２７が銘柄指定情報を取得した場合には、当該銘柄指定情報と対応する収容領域（マガジン１５）において、通常表示３７と特定報知表示（取出報知表示３８）との双方を行わせる。
よって、オペレータは、通常表示３７の内容を確認しながら、取出報知表示３８により示される収容領域（マガジン１５）からたばこ商品１１を取り出すことができる。
【００３５】
なお、本発明において、特定報知表示は、取出報知表示３８に限らず、後述する他の実施形態で説明するように、収容領域（マガジン１５）へのたばこ商品１１の補充を促す補充報知表示であってもよい。
【００３６】
図７（ａ）に示すように、本実施形態の場合、プロジェクタ２０は、マガジン什器６０の中央に配置されている表示スクリーン１７においても、マガジン１５からのたばこ商品１１の取り出しを促す取出報知表示３９を表示させる。この取出報知表示３９は、例えば、「赤く光っている場所から取り出してください。」といった表示である。
【００３７】
なお、取出報知表示３８及び取出報知表示３９を行う際に、図示しないスピーカから音声による取出報知を行うようになっていてもよい。例えば、「赤く光っている場所から取り出してください。」といった音声報知を行うことが挙げられる。
【００３８】
また、カメラ２１及び制御部２２によって正常取出動作を検出した場合、制御部２２は、例えば、取出報知表示３８及び取出報知表示３９を終了させる処理を行う。
また、制御部２２は、正常取出動作を検出する度に、銘柄ごとの販売記録を記憶部２６に記憶させるようになっていることが好ましい。
【００３９】
更に、取出報知表示の待ち状態となっている銘柄が存在する場合に、正常取出動作が検出された場合は、次の銘柄の取出報知表示（取出報知表示３８、取出報知表示３９）を行う状態に速やかに移行することができる。
【００４０】
一方、カメラ２１及び制御部２２によって誤取出動作を検出した場合、制御部２２は、取り出し動作が誤りである旨の誤取出報知表示４０をプロジェクタ２０によって表示スクリーン１７に表示させる（図７（ｂ））。この誤取出報知表示４０は、例えば、「取り出し場所が違います。赤く光っている場所から取り出してください。」といった表示である。
このように、たばこ什器１００は、取出要求とは異なる収容領域（マガジン１５）からのたばこ商品１１の取り出し動作である誤取出動作を検出する誤取出動作検出部（例えば、カメラ２１及び制御部２２を含んで構成されている）を備え、投射制御部（制御部２２）は、誤取出動作が発生した場合に、取り出し動作が誤りである旨の誤取出報知表示４０を画像投射部（プロジェクタ２０）に行わせる。
よって、オペレータは、誤取出動作を行った場合に、その旨を速やかに認識でき、正しい収容領域（マガジン１５）からたばこ商品１１を取り出すことができる。
より詳細には、誤取出動作検出部は、複数の収容領域（マガジン１５）からのたばこ商品１１の取り出し動作を撮像するカメラ２１と、カメラ２１による撮像結果を用いた画像認識により誤取出動作の有無を判定する誤取出動作判定部（制御部２２）と、を含んで構成されている。
誤取出動作の報知を行う際にも、図示しないスピーカから音声による報知を行うようになっていてもよい。
【００４１】
なお、本発明において、たばこ什器１００は、正常取出動作や誤取出動作を自動的に検出する構成に限らない。例えば、店員がたばこ什器１００からたばこ商品１１を取り出す度に、各マガジン１５と対応して設けられている図示しない取出完了ボタンを操作することによって、制御部２２が取出報知表示３８及び取出報知表示３９（更には音声報知）を終了させたり、銘柄ごとの販売記録を記憶部２６に記憶させたりするようになっていてもよい。
【００４２】
また、取出報知表示３８は、単にたばこ商品１１を取り出すべきマガジン１５の位置の報知だけでなく、マガジン１５から取り出すべきたばこ商品１１の個数の表示報知（個数指定情報の表示）を併せて行うものであってもよい。この場合、オペレータは、例えば、銘柄指定情報取得部２７に対して、購買者が購買しようとするたばこ商品１１の個数を入力（入力操作による入力、又は音声入力）する。
この場合、例えば、図８（ａ）に示すように、マガジン１５の前面壁１６において行われる取出報知表示３８として、上述したような赤色の発光表示の他に、「３個払出」との表示報知を併せて行ってもよい。
また、図８（ｂ）に示すように、表示スクリーン１７において行われる取出報知表示３９として、「赤く光っている場所からたばこを３個取り出してください。」といった表示報知を行ってもよい。
このように、投射制御部（制御部２２）は、例えば、取出要求と対応するたばこ商品１１を収容領域（マガジン１５）から取り出すべき個数を示す個数指定情報の表示を画像投射部（プロジェクタ２０）に行わせる。
【００４３】
ここで、コンビニエンスストアなどの店舗においては、例えば図９（ａ）に示すように、販売カウンタ５１に複数の販売端末（例えば電子キャッシュレジスタ５２）が設置されており、複数人の店員５３により並行して販売処理を行うことができるようになっていることが一般的である。販売カウンタ５１の奥に、店員５３の作業スペースが設けられており、更に、この作業スペースの奥には、たばこ什器１００が設置される什器設置カウンタ５４が設けられている。
図９（ａ）において、左側の電子キャッシュレジスタ５２（電子キャッシュレジスタ５２ａ）（以下、１番レジ）を用いた販売処理は、左側の店員５３（店員５３ａ）が担当するものとする。また、右側の電子キャッシュレジスタ５２（電子キャッシュレジスタ５２ｂ）（以下、２番レジ）を用いた販売処理は、右側の店員５３（店員５３ｂ）が担当するものとする。
なお、図示は省略するが、各電子キャッシュレジスタ５２と対応してそれぞれ銘柄指定情報取得部２７が設けられており、店員５３ａは、電子キャッシュレジスタ５２ａと対応する銘柄指定情報取得部２７を操作し、店員５３ｂは、電子キャッシュレジスタ５２ｂと対応する銘柄指定情報取得部２７を操作するものとする。
【００４４】
こうした場合、取出報知表示３８は、たばこ商品１１を取り出すべきマガジン１５の位置や個数の報知だけでなく、取出要求と対応するたばこ商品１１が、複数の電子キャッシュレジスタ５２のうちいずれの電子キャッシュレジスタ５２での販売用であるかを示す情報（以下、販売端末指定情報）の表示報知を併せて行うものであることが好ましい。
すなわち、例えば、図９（ｂ）に示すように、マガジン１５の前面壁１６において行われる取出報知表示３８として、上述したような赤色の発光表示の他に、「２番レジ  ３個払出」との表示報知を併せて行ってもよい。
また、図９（ｃ）に示すように、表示スクリーン１７において行われる取出報知表示３９として、「赤く光っている場所からたばこを３個取り出してください。（２番レジ）」といった表示報知を行ってもよい。
よって、２番レジを担当する店員５３ｂは、取出報知表示３８が行われているマガジン１５を容易に認識でき、当該マガジン１５からたばこ商品１１を取り出すことができる。
このように、投射制御部（制御部２２）は、例えば、取出要求と対応するたばこ商品１１が、店舗に設置された複数の販売端末（電子キャッシュレジスタ５２）のうちいずれの販売端末での販売用であるかを示す販売端末指定情報の表示を画像投射部（プロジェクタ２０）に行わせる。
【００４５】
また、取出要求と対応するたばこ商品１１が、いずれの電子キャッシュレジスタ５２での販売用であるかをより分かりやすくするために、プロジェクタ２０によって前面壁１６に投影される光の色（投影色）が、電子キャッシュレジスタ５２毎に色分けされていることも好ましい。更には、図示しないスピーカから出力される音声が、電子キャッシュレジスタ５２毎に区別されていることも好ましい。
【００４６】
複数の電子キャッシュレジスタ５２での販売に供されるたばこ商品１１の取出要求が発生した場合、個々の電子キャッシュレジスタ５２での販売用のたばこ商品１１の取出報知表示は、順次に行うことが好ましいが、上記のように電子キャッシュレジスタ５２毎に投影色を色分けすることなどによって、複数の電子キャッシュレジスタ５２での販売用のたばこ商品１１の取出報知表示を同時に（並行して）行った場合にも、これら取出報知表示をオペレータが容易に判別することが可能である。
【００４７】
なお、マガジン什器６０における各銘柄のたばこ商品１１の収容場所が変更された場合には、変更内容に応じて、プロジェクタ２０により投影される画像を変更することによって容易に対応することができる。
また、マガジン什器６０におけるマガジン１５の配置（収容領域の配置）が変更された場合も同様である。すなわち、マガジン１５の配置間隔（収容領域の配置間隔）や、マガジン１５の数（収容領域の数）が変更された場合も、プロジェクタ２０により投影される画像を変更することによって容易に対応することができる。
【００４８】
ここで、典型的には、たばこ什器１００の稼働中、プロジェクタ２０は、常時、複数のマガジン１５の前面壁１６と、表示スクリーン１７と、を含む範囲に画像を投射しており、銘柄指定情報取得部２７が銘柄指定情報を取得した場合（取出要求を受け付けた場合や、補充の際にたばこ商品１１又はたばこ商品１１のカートンに付されたバーコードをバーコードリーダ２８が読み取った場合）に、銘柄指定情報と対応するたばこ商品１１が収容されているマガジン１５の前面壁１６において表示される画像を変化させる。
ただし、本発明は、この例に限らず、プロジェクタ２０は、銘柄指定情報取得部２７が銘柄指定情報を取得した場合に、銘柄指定情報と対応するたばこ商品１１が収容されているマガジン１５の前面壁１６における画像の表示（単に前面壁１６に光を投射することも含む）を開始させるようになっていてもよい。
【００４９】
以上のような第１実施形態によれば、投射制御部（制御部２２）は、複数の収容領域（マガジン１５）のうち銘柄指定情報取得部２７が取得した銘柄指定情報と対応する収容領域を特定しうる態様で画像投射部（プロジェクタ２０）に表示を行わせる制御を行う。
よって、各銘柄のたばこ商品１１と対応する収容領域をオペレータが容易且つ迅速に認識できるようにすることが可能となる。これにより、オペレータ（典型的には店員）の作業負担を軽減することができる。
【００５０】
なお、上記の第１実施形態では、誤取出動作が検出された場合に、プロジェクタ２０による画像の投射、又は、図示しないスピーカからの音声出力によって誤取出動作の発生を報知する例を説明したが、本発明は、この例に限らない。例えば、図示しないバイブレーターによる振動の付与、臭気の発生、又は、機械的に部材を飛び出させることなどによって、誤取出動作の発生をオペレータに報知してもよい。
【００５１】
また、上記の第１実施形態において、マガジン１５からのたばこ商品１１の取出動作の正誤の検出は、マガジン１５に付された識別マークを用いて行うようになっていてもよい。
例えば、各マガジン１５の搭載部３１の側壁３２の前端部の外面に、識別マーク（例えば、ＱＲコード（登録商標）を示すマーク）が付されており、カメラ２１は、この識別マークを撮像するようになっている。また、記憶部２６は、各識別マークと各銘柄指定情報との対応付け（テーブル）を記憶している。制御部２２は、画像認識によって、オペレータがたばこ商品１１を取り出したマガジン１５の識別マークの種類を判別し、更に、記憶部２６のテーブルを参照し、当該識別マーカが取出要求と対応する銘柄指定情報と対応するか否かを判定する。これにより、制御部２２は、正常取出動作又は誤取出動作を検出する。
例えば、マガジン１５をマガジン収容棚１２から前方に引き出した状態で、マガジン１５からのたばこ商品１１の取り出しを行うことによって、たばこ商品１１が取り出されたマガジン１５の識別マークをカメラ２１によって好適に撮像することが可能となる。
或いは、前面壁１６が、マガジン１５からのたばこ商品１１の取出の際に前傾するフラップ部である場合に、識別マークは前面壁１６の側面に付されていることも好ましい。このようにすることによって、たばこ商品１１が取り出されたマガジン１５の（前面壁１６の）識別マークをカメラ２１によって好適に撮像することが可能となる。
【００５２】
また、マガジン１５へのたばこ商品１１の補充動作の正誤の検出に際しても、制御部２２は、誤取出動作の判定の際と同様に、上述した識別マークを用いた判定により誤補充動作を検出することができる。
【００５３】
〔第２実施形態〕
次に、図１０及び図１１を用いて第２実施形態を説明する。
本実施形態に係るたばこ什器１００は、以下に説明する点で、上記の第１実施形態に係るたばこ什器１００と相違しており、その他の点では、上記の第１実施形態に係るたばこ什器１００と同様に構成されている。
【００５４】
図１０に示すように、本実施形態に係るたばこ什器１００は、什器設置カウンタ５４上に設置されているマガジン什器６０及び投射ユニット１０の他に、什器設置カウンタ５４の下の床面５５上に設置されているカートン什器６１を備えている。
【００５５】
たばこ商品１１は、同一銘柄の複数のたばこ商品１１がまとめて包装されてなる所謂カートンの形態で流通する場合がある。一般的には、カートンには、１０個のたばこ商品１１がひとまとめに包装されている。カートンは、パーセルとも称される。
カートン什器６１は、カートンを保管するための保管庫であり、複数銘柄のたばこ商品１１とそれぞれ対応するカートンを収容可能となっている。
カートン什器６１は、例えば、枠体６２と、枠体６２から前方に引き出し可能に枠体６２によって保持されている複数の引出棚６３と、を備えている。
引出棚６３の前面壁には、当該引出棚６３を前方に引き出す際にオペレータが指を掛けるための取手部６５が設けられている。
更に、引出棚６３の前面壁には、引出棚報知発光部６４が設けられている。引出棚報知発光部６４は、ＬＥＤなどの発光部材を含んで構成されている。引出棚報知発光部６４の動作制御は、制御部２２が行う。
例えば、各銘柄ごとに、別の引出棚６３に収容されている。
記憶部２６には、各銘柄のカートンが複数の引出棚６３のうちいずれの引出棚６３に収容されているのかを示す情報が記憶されている。
【００５６】
本実施形態の場合、マガジン什器６０の在庫では、購買者が購買しようとするたばこ商品１１の個数に満たないときに、マガジン什器６０内のたばこ商品１１とカートン什器６１内のたばこ商品１１とを取り出すことを店員に促す報知表示を行う。
例えば、購買者がある銘柄のたばこ商品１１を５個購買しようとする場合に、マガジン什器６０における当該銘柄のたばこ商品１１の在庫が３個のときに、図１１に示すように、表示スクリーン１７において、「マガジン什器から３個、カートン什器から２個、それぞれ取り出してください。」といった取出報知表示３９を行う。
このとき、制御部２２は、図１０に示すように、取出要求と対応するたばこ商品１１を収容しているマガジン１５の前面壁１６において取出報知表示３８を行わせる一方で、取出要求と対応するカートンを収容している引出棚６３の引出棚報知発光部６４を点灯させることで取出報知表示４２を行わせる。
これにより、店員は、たばこ商品１１を取り出すマガジン１５を容易に認識することができるとともに、カートンを取り出す引出棚６３を容易に認識することができる。なお、店員は、引出棚６３からカートンを取り出した後、カートンの包装を剥がして例えば２個のたばこ商品１１をカートンから取り出し、マガジン什器６０から取り出した３個のたばこ商品１１と、カートンから取り出した２個のたばこ商品１１とを販売に供する。
【００５７】
また、購買者がある銘柄のたばこ商品１１を１０個又はそれ以上購買しようとする場合には、表示スクリーン１７において、「カートン什器からたばこを取り出してください。」といった取出報知表示を行う。
【００５８】
なお、本実施形態の場合、カートン什器６１は、引出棚報知発光部６４を備えていなくてもよい。例えば、第１の実施形態においてマガジン１５の前面壁１６や表示スクリーン１７において表示報知を行うのと同様に、プロジェクタ２０により画像を投影して対応する引出棚６３の前面壁において表示報知を行うことで、対応する引出棚６３からのカートンの取り出しを店員に促すようになっていてもよい。
【００５９】
〔第３実施形態〕
次に、図１２及び図１３を用いて第３実施形態を説明する。
本実施形態に係るたばこ什器１００は、以下に説明する点で、上記の第１実施形態に係るたばこ什器１００と相違しており、その他の点では、上記の第１実施形態に係るたばこ什器１００と同様に構成されている。
【００６０】
本実施形態の場合、マガジン什器６０のマガジン収容棚１２の後部壁１４の前面側には、各マガジン１５毎に測距センサ２９が設けられている。
測距センサ２９は、例えば、光学式のものであり、前方に向けて光を照射する光照射部と、光照射から照射された光の反射光を受光する受光部と、を有する。測距センサ２９の測定方式は、三角測距式であってもよいし、光が照射されてから受光されるまでの時間差を距離に換算する方式であってもよい。また、測距センサ２９は、光学式のものに限らず、超音波式のものであってもよい。
測距センサ２９は、当該測距センサ２９とスライダ３５との距離、又は、当該測距センサ２９と最後尾のたばこ商品１１との距離を検出する。
【００６１】
本実施形態の場合、各マガジン１５と対応して設けられている測距センサ２９による検出結果がそれぞれ制御部２２に入力される。制御部２２は、各測距センサ２９による検出結果に基づいて、各マガジン１５からのたばこ商品１１の取り出しの有無を監視する。
したがって、制御部２２は、取出要求とは異なるマガジン１５からのたばこ商品１１の取り出し動作である誤取出動作を検出することができる。
このため、本実施形態の場合、たばこ什器１００は、カメラ２１を備えていなくてもよい。
【００６２】
このように、本実施形態の場合、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６とを備えている。そして、誤取出動作検出部は、スライダ３５の後方に設けられていてスライダ３５との距離又は最後尾のたばこ商品１１との距離を検出する測距センサ２９を含んで構成されている。
【００６３】
また、本実施形態の場合、制御部２２は、各測距センサ２９による検出結果に基づいて、各マガジン１５におけるたばこ商品１１の残個数を管理するようになっている。
そして、図１３に示すように、各マガジン１５の前面壁１６において、各マガジン１５におけるたばこ商品１１の残個数を示す表示である残個数表示４３を常時又は店員による要求操作に応じて行う。すなわち、制御部２２は、残個数の管理結果に応じて、各マガジン１５におけるたばこ商品１１の残個数を示す表示である残個数表示４３をプロジェクタ２０に行わせる。
よって、店員は、各マガジン１５におけるたばこ商品１１の残個数を容易に認識することができる。
【００６４】
ここで、マガジン１５に収容されている状態でのたばこ商品１１の前後方向の厚み寸法（以下、単に厚み寸法）は、たばこ商品１１の銘柄に応じて異なる。
記憶部２６には、各マガジン１５に収容されているたばこ商品１１の銘柄を示す情報と、当該たばこ商品１１の厚み寸法を示す情報と、が記憶されている。
制御部２２は、銘柄ごとの厚み寸法と、測距センサ２９による検出結果と、に基づいて、各マガジン１５におけるたばこ商品１１の残個数を演算により求めるようになっている。
【００６５】
なお、同一銘柄のたばこ商品１１が複数のマガジン１５にそれぞれ収容されている場合、当該銘柄のたばこ商品１１を収容しているマガジン１５のうちいずれか１つのマガジン１５の前面壁１６において残個数の表示を行ってもよい。
【００６６】
本実施形態の場合、制御部２２は、測距センサ２９による検出結果に基づいて、銘柄ごとの販売記録を記憶部２６に記憶させるようになっていてもよい。
【００６７】
また、制御部２２は、測距センサ２９による検出結果に基づいて、たばこ什器１００からのたばこ商品１１の取り出し個数の過不足をモニタリングするようになっていてもよい。この場合、販売すべき個数と比べて、実際にたばこ什器１００から取り出されたたばこ商品１１の個数が多かった場合や少なかった場合に、制御部２２の制御下で、プロジェクタ２０による表示報知や音声報知によってアラートを行うようになっていてもよい。
【００６８】
〔第４実施形態〕
次に、図１４から図１６を用いて第４実施形態を説明する。
本実施形態に係るたばこ什器１００の場合、上記の第３実施形態に係るたばこ什器１００の機能に加えて、マガジン１５へのたばこ商品１１の補充を促す補充報知表示を行う機能を有する。
【００６９】
本実施形態の場合、記憶部２６には、たばこ商品１１の銘柄ごとに、マガジン１５への補充が必要となる残個数（補充閾値）が設定されている。そして、ある銘柄のたばこ商品１１について、マガジン１５における残個数が補充閾値以下になった場合には、制御部２２は、プロジェクタ２０を制御し、マガジン１５へのたばこ商品１１の補充を促す補充報知表示を前面壁１６や表示スクリーン１７において行わせる。
【００７０】
例えば、補充が必要なたばこ商品１１の銘柄が「ＡＢＣたばこ」である場合、図１４に示すように、前面壁１６において行われる補充報知表示４４としては、「要補充」との文字情報４４ａと、ＡＢＣたばこの画像である画像情報４４ｂと、を含む表示を行う。このため、店員は、補充すべきたばこ商品１１を容易且つ確実に認識し、当該たばこ商品１１を対応するマガジン１５に補充することができる。
【００７１】
このように、たばこ什器１００は、複数の収容領域（マガジン１５）の各々におけるたばこ商品１１の残個数を管理する残個管理部（制御部２２、測距センサ２９）を備え、投射制御部（制御部２２）は、残個管理部による管理結果に応じて、収容領域へのたばこ商品１１の補充を促す補充報知表示４４を画像投射部（プロジェクタ２０）に行わせる。
また、残個管理部は、スライダ３５の後方に設けられていて、スライダ３５との距離又は最後尾のたばこ商品１１との距離を検出する測距センサ２９を含んで構成されている。
【００７２】
なお、上記の第１実施形態において、取出要求と対応するたばこ商品１１を収容しているマガジン１５の前面壁１６を赤く発光させるのと同様に、本実施形態の場合、補充が必要なたばこ商品１１と対応するマガジン１５の前面壁１６を他の色（例えば黄色）で発光させることが挙げられる。
表示スクリーン１７において行われる補充報知表示４５としては、例えば、図１５（ａ）に示すように、「ＡＢＣたばこを黄色く光っている場所に補充してください。」といった表示を行う。
【００７３】
また、補充報知表示４４が行われている最中に、取出要求が発生した場合には、例えば、補充報知表示４４は一旦中断し、割り込み処理として、取出報知表示３８や取出報知表示３９を優先的に行うようになっていてもよい。この場合、例えば、正常取出動作が検出された後で、補充報知表示４４が再開される。
【００７４】
ただし、本発明は、この例に限らず、たばこ什器１００は、取出報知表示３８又は取出報知表示３９と補充報知表示４４とを互いに異なる表示態様で並行して実行可能であってもよい。
すなわち、一例として、投射制御部（制御部２２）は、残個管理部による管理結果に応じて、収容領域（マガジン１５）へのたばこ商品１１の補充を促す補充報知表示４４を画像投射部（プロジェクタ２０）に行わせ、且つ、補充報知表示４４と取出報知表示３８、３９とを互いに異なる態様で並行して画像投射部に行わせることが可能である。
【００７５】
また、たばこ什器１００は、上記の各実施形態において誤取出動作を検出する場合と同様に、補充が必要なたばこ商品１１と対応するマガジン１５とは異なるマガジン１５へのたばこ商品１１の補充動作である誤補充動作を画像認識により検出できるようになっていてもよい。
誤補充動作を検出した場合、例えば、図１５（ｂ）に示すように、「補充場所が違います。黄色く光っている場所に補充してください。」といった誤補充報知表示４６を表示スクリーン１７にて行うようになっている。
【００７６】
また、複数の銘柄のたばこ商品１１について補充が必要な場合に、補充報知表示４４には、例えば優先順位を示す情報が含まれていることが好ましい。
優先順位を示す情報の表示の例としては、図１６に示すように、補充の優先順位が高い順に、「優先度１」、「優先度２」、「優先度３」といった文字情報を表示することが挙げられる。
ただし、文字情報に代えて、又は、文字情報と併せて、投影色により優先順位を示すようにしてもよい。例えば、対応するマガジン１５の前面壁１６への投影色が赤色の銘柄の優先順位が最も高く、黄色の銘柄の優先順位が次に高い、というように投影色を設定することが挙げられる。
補充の優先順位は、例えば、販売実績（販売個数の推移を示すトレンド情報）や在庫状況に基づいて、制御部２２が決定することができる。
【００７７】
〔第５実施形態〕
次に、図１７（ａ）から図１７（ｃ）を用いて第５実施形態を説明する。
本実施形態の場合、たばこ什器１００は、上述の測距センサ２９の代わりに、前後方向におけるスライダ３５の位置を検出するスライダ位置検出部を備えている。
スライダ位置検出部は、例えば、取出要求とは異なるマガジン１５からのたばこ商品１１の取り出し動作である誤取出動作を検出する誤取出動作検出部を制御部２２とともに構成する。
または、スライダ位置検出部は、例えば、複数のマガジン１５の各々におけるたばこ商品１１の残個数を管理する残個管理部を制御部２２とともに構成する。
【００７８】
図１７（ａ）に示すように、スライダ位置検出部は、例えば、棚板１３上に配置されている電極ユニット６７と、スライダ３５の下部３５ａ（図１７（ｃ）：後述）に設けられている電極６９と、を備えている。
図１７（ｂ）に示すように、電極ユニット６７は、前後方向に長尺な部材であり、前後方向において所定間隔で配置された複数の電極６６を備えている。
【００７９】
ここで、マガジン１５の底板部３３の横幅方向における中央部には、前後に延在するスリット３３ａが形成されている。底板部３３においてスリット３３ａを間に挟む両側部分は、スライダ３５を前後にガイドするガイド部となっている。
一方、スライダ３５は、底板部３３においてスリット３３ａを間に挟む両側部分をそれぞれ上下から挟持している。スライダ３５の下部３５ａは、底板部３３の下面よりも下側に配置されている。
【００８０】
ここで、各電極６６及び電極６９には、適宜の配線が接続されており、電極６９と電極６６とによりコンデンサを構成するようになっている。前後方向におけるスライダ３５の位置が変化すると、電極６９と近接する電極６６が切り替わるため、電極６９とともにコンデンサを構成する電極６６が順次に切り替わる。制御部２２は、各電極６６の静電容量を判定する判定回路を備えており、この判定回路による判定結果に基づいて、前後方向におけるスライダ３５の位置を検出する。
本実施形態の場合、制御部２２は、銘柄ごとの厚み寸法と、スライダ位置検出部による検出結果と、に基づいて、各マガジン１５におけるたばこ商品１１の残個数を演算により求めるようになっている。
【００８１】
なお、本発明は、この例に限らず、前後方向におけるスライダ３５の位置に応じて、電極６９がいずれかの電極６６に対して選択的に導通するようになっていてもよい。この場合、制御部２２は、電極６９と導通状態となった電極６６がいずれの電極６６であるかに応じて、前後方向におけるスライダ３５の位置を検出する。
【００８２】
本実施形態の場合、制御部２２は、スライダ位置検出部による検出結果に基づいて、銘柄ごとの販売記録を記憶部２６に記憶させるようになっていてもよい。
また、制御部２２は、スライダ位置検出部による検出結果に基づいて、たばこ什器１００からのたばこ商品１１の取り出し個数の過不足をモニタリングするようになっていてもよい。
【００８３】
なお、本実施形態の場合、たばこ什器１００は、上述のカメラ２１を備えていなくてもよい。
【００８４】
〔第６実施形態〕
次に、図１８（ａ）及び図１８（ｂ）を用いて第６実施形態を説明する。
図１８（ａ）及び図１８（ｂ）に示すように、本実施形態の場合、マガジン１５は、搭載部３１に対して揺動可能に搭載部３１に設けられている揺動部材７０を備えている。揺動部材７０は、例えば、それぞれ直線状に延在する前側部分７０ａ及び後側部分７０ｂを備えている。揺動部材７０は、前側部分７０ａと後側部分７０ｂとの境界部において折れ曲がった屈曲形状に形成されている。
揺動部材７０は、底板部３３の下面側に配置されており、前側部分７０ａと後側部分７０ｂとの境界部において、軸支部７１により搭載部３１の底板部３３に対して軸支されている。軸支部７１の軸方向は、底板部３３に対して直交する方向、すなわち上下方向である。
揺動部材７０は、軸支部７１を揺動軸として、底板部３３に対して相対的に揺動可能となっている。
更に、本実施形態の場合、たばこ什器１００は、揺動部材７０の揺動を検出するスイッチ７２を備えている。スイッチ７２は、例えば、搭載部３１の前端部と対応する位置に配置されている。なお、スイッチ７２は、搭載部３１に設けられていてもよいし、棚板１３に設けられていてもよい。
【００８５】
図１８（ａ）に示すように、スライダ３５の下部３５ａが軸支部７１よりも後方に位置する状態のときには、例えば、揺動部材７０の前側部分７０ａと後側部分７０ｂとのうち後側部分７０ｂが搭載部３１の一方の側壁３２に沿って前後に延在する。
この状態では、前側部分７０ａの前端部がスイッチ７２から離間しており、スイッチ７２は前側部分７０ａを検出しない。
【００８６】
一方、図１８（ｂ）に示すように、スライダ３５の下部３５ａが軸支部７１よりも前方に移動すると、揺動部材７０の前側部分７０ａが下部３５ａに押されて当該揺動部材７０が軸支部７１を支点として揺動し、前側部分７０ａと後側部分７０ｂとのうち前側部分７０ａが搭載部３１の一方の側壁３２に沿って前後に延在する状態に移行する。
この状態では、前側部分７０ａの前端部がスイッチ７２と重なり、スイッチ７２が前側部分７０ａを検出する。
【００８７】
スイッチ７２による検出信号は、制御部２２に入力される。制御部２２は、スイッチ７２が前側部分７０ａを検出した旨の検出信号が入力されることによって、マガジン１５におけるたばこ商品１１の残個数が所定数以下となった旨を認識する。
本実施形態の場合、スイッチ７２及び制御部２２により、複数のマガジン１５の各々におけるたばこ商品１１の残個数を管理する残個管理部が構成されている。
【００８８】
このように、本実施形態の場合、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６と、前後方向におけるスライダ３５の位置に応じて揺動する揺動部材７０とを備え、残個管理部は、揺動部材７０の揺動を検出する揺動検出部（スイッチ７２、制御部２２）を含んで構成されている。
【００８９】
本実施形態の場合、制御部２２は、スイッチ７２による検出結果に基づいて、銘柄ごとの販売記録を記憶部２６に記憶させるようになっていてもよい。
また、制御部２２は、スイッチ７２による検出結果に基づいて、たばこ什器１００からのたばこ商品１１の取り出し個数の過不足をモニタリングするようになっていてもよい。
【００９０】
〔第７実施形態〕
次に、図１９（ａ）及び図１９（ｂ）を用いて第７実施形態を説明する。
本実施形態の場合、マガジン１５の前面壁１６はフラップ部であり、前傾可能な状態で一対の側壁３２の前端部により保持されている。
【００９１】
図１９（ａ）及び図１９（ｂ）に示すように、前面壁１６は、当該前面壁１６の左端部及び右端部にそれぞれ設けられた左右一対の被軸支突起１６ａと左右一対の被ガイド突起１６ｂとを有する。
ここで、搭載部３１において、前面壁１６を除く部分を、本体部３１ａと称する。
各被軸支突起１６ａは、搭載部３１の左右の側壁３２の前端部にそれぞれ形成されている軸支孔７４にそれぞれ嵌入している。これにより、前面壁１６は、左右の被軸支突起１６ａを揺動支点として本体部３１ａに対して相対的に前傾動作が可能となっている（図１９（ｂ））。
各被ガイド突起１６ｂは、搭載部３１の左右の側壁３２の前端部にそれぞれ形成されている弧状のガイド孔７５に入り込んでいる。これにより、各被ガイド突起１６ｂは、対応するガイド孔７５によってガイドされるようになっている。ガイド孔７５によって被ガイド突起１６ｂがガイドされる範囲（被軸支突起１６ａを中心とする角度範囲）によって、前面壁１６の前傾角度が制限されている。
【００９２】
搭載部３１の先頭位置に搭載されているたばこ商品１１が搭載部３１から取り出される際には、前面壁１６が本体部３１ａに対して相対的に前傾するようになっている（図１９（ｂ））。
たばこ商品１１が搭載部３１から取り出された後は、前面壁１６は、自重により、図１９（ａ）に示す通常の状態、すなわち、起立した状態に復帰する。
【００９３】
前面壁１６は、前傾状態において側壁３２の前端における下端よりも下方に突出する押圧突起１６ｃを有している。
一方、棚板１３の前端部の上面には、前面壁１６が傾斜した際に押圧突起１６ｃにより押圧されるスイッチ７６が設けられている。
スイッチ７６は、押圧突起１６ｃにより押圧される度に、検出信号を制御部２２に出力する。
制御部２２は、スイッチ７６から検出信号が入力されることによって、マガジン１５からたばこ商品１１が取り出されたことを認識する。
【００９４】
本実施形態の場合、スイッチ７６は、取出要求とは異なるマガジン１５からのたばこ商品１１の取り出し動作である誤取出動作を検出する誤取出動作検出部を制御部２２とともに構成する。
また、スイッチ７６は、複数のマガジン１５の各々におけるたばこ商品１１の残個数を管理する残個管理部を制御部２２とともに構成する。この場合、制御部２２は、スイッチ７６から入力される検出信号を計数するようになっている。
【００９５】
このように、本実施形態の場合、複数の収容領域の各々はマガジン１５であり、マガジン１５は、複数のたばこ商品１１が前後に並ぶ整列状態で搭載される搭載部３１と、搭載部３１に沿って前後に移動可能に設けられているスライダ３５と、スライダ３５を前方に向けて付勢している付勢部３６とを備え、搭載部３１は、複数のたばこ商品１１が搭載される本体部３１ａと、本体部３１ａの前端部に対して揺動可能に設けられていて当該搭載部３１の前面壁１６を構成しているフラップ部とを備え、フラップ部は、搭載部３１の先頭位置に搭載されているたばこ商品１１が当該搭載部３１から取り出される際に本体部３１ａに対して相対的に前傾するようになっており、誤取出動作検出部は、フラップ部の前傾動作を検出する前傾検出部（スイッチ７６及び制御部２２）を含んで構成されている
【００９６】
或いは、本実施形態において、残個管理部は、フラップ部の前傾動作を検出する前傾検出部（スイッチ７６及び制御部２２）を含んで構成されている。
【００９７】
本実施形態の場合、制御部２２は、スイッチ７６による検出結果に基づいて、銘柄ごとの販売記録を記憶部２６に記憶させるようになっていてもよい。
また、制御部２２は、スイッチ７６による検出結果に基づいて、たばこ什器１００からのたばこ商品１１の取り出し個数の過不足をモニタリングするようになっていてもよい。
【００９８】
なお、本実施形態の場合、たばこ什器１００は、上述のカメラ２１、測距センサ２９及びスライダ位置検出部を備えていなくてもよい。
【００９９】
〔第８実施形態〕
次に、図２０（ａ）から図２０（ｃ）を用いて第８実施形態を説明する。
本実施形態では、例えば新商品等の新規取扱商品が店舗に入荷した場合などにおいて、新規取扱商品を収容するマガジン１５の候補をたばこ什器１００が案内する例を説明する。
【０１００】
たばこ什器１００は、例えば図２０（ａ）に示すように、オペレータにより操作される操作タブレット８０を備えている。この操作タブレット８０は、銘柄指定情報取得部２７としての機能を兼ねるものであってもよいし、銘柄指定情報取得部２７とは別のものであってもよい。
【０１０１】
操作タブレット８０の表示画面８１には、各種の動作モードを選択可能なメニュー画面が表示されるようになっている。
このメニュー画面において選択可能なメニューには、例えば、「新商品収納場所ナビ」というメニューが含まれている。オペレータがメニュー画面において「新商品収納場所ナビ」を選択するタッチ操作を行うと、制御部２２の制御下でプロジェクタ２０が画像を投射することによって、例えば図２０（ｂ）に示すように、新規のたばこ商品１１を収容するマガジン１５の候補を案内する候補領域案内表示４７が表示される。
候補領域案内表示４７は、例えば、取出報知表示３８と同様の表示であってもよいし、取出報知表示３８とは異なる態様の表示であってもよい。
【０１０２】
このように、たばこ什器１００は、収容領域（マガジン１５）に新規のたばこ商品１１を収容させる旨の要求である新規収容要求（例えば、「新商品収納場所ナビ」を選択するタッチ操作）を受け付ける新規収容要求受付部（例えば操作タブレット８０）を備え、投射制御部（制御部２２）は、新規収容要求受付部が新規収容要求を受け付けた場合に、新規のたばこ商品１１を収容する収容領域の候補を案内する候補領域案内表示４７を画像投射部（プロジェクタ２０）に行わせる。
【０１０３】
制御部２２は、例えば、以下に説明する判定処理により、前面壁１６において候補領域案内表示４７が行われるマガジン１５の選択を行う。
先ず、制御部２２は、記憶部２６の記憶内容を参照し、収容すべきたばこ商品１１が設定されていない空き状態のマガジン１５が存在するか否かを判定する。
空き状態のマガジン１５が存在する場合、制御部２２は、空き状態のマガジン１５のうちいずれかのマガジン１５の前面壁１６において候補領域案内表示４７を行わせる。
一方、空き状態のマガジン１５が存在しない場合、制御部２２は、例えば、販売実績に基づいて、売れ行きが低調な銘柄と対応するマガジン１５を判別及び選定し、当該マガジン１５の前面壁１６において候補領域案内表示４７を行わせる。なお、販売実績が所定の閾値以下の銘柄が複数存在する場合は、これら複数の銘柄と対応するマガジン１５の各々の前面壁１６において候補領域案内表示４７を行わせてもよい。
【０１０４】
更に、例えば、図２０（ｃ）に示すように、表示画面８１において、銘柄の入れ替えを確定するか否かの選択画面が表示される。
例えば、「既存銘柄「ＪＫＬたばこ」を新規銘柄「ＫＬＭたばこ」に入れ替えますか？」との表示と、「確定」及び「今はしない」との選択ボタンが表示される。
オペレータが「確定」を選択操作すると、制御部２２は、これまで「ＪＫＬたばこ」の収納場所であったマガジン１５を「ＫＬＭたばこ」の収納場所として登録する更新処理を行う。すなわち、制御部２２は、記憶部２６の記憶内容の書き換えを行う。更に、制御部２２は、候補領域案内表示４７を終了させる。
一方、図２０（ｃ）の選択画面において、オペレータが「今はしない」を選択操作すると、制御部２２は、記憶部２６の記憶内容の書き換えは行わずに、候補領域案内表示４７を終了させる。
【０１０５】
〔第９実施形態〕
次に、図２１（ａ）及び図２１（ｂ）を用いて第９実施形態を説明する。
図２１（ａ）及び図２１（ｂ）の各々は、ある銘柄のたばこ商品１１が不良品であることを制御部２２が認識した場合に行われる報知表示の例を示す正面図であり、このうち図２１（ａ）はマガジン１５の前面壁１６において行われる報知表示（不良品情報表示４８）の例を示し、図２１（ｂ）は表示スクリーン１７において行われる報知表示（不良品情報表示４９）の例を示す。
例えば、図２１（ａ）に示すように、不良品情報表示４８として、「不良品」との表示を行ったり、図２１（ｂ）に示すように、「ＦＧＨたばこの在庫は不良品のため販売できません。」との表示を行ったりすることによって、オペレータに注意喚起し、不良品の販売を抑止できるようにする。
【０１０６】
また、オペレータが誤って不良品のたばこ商品１１をマガジン１５から取り出した場合に、その旨が検出されると、制御部２２は、当該たばこ商品１１を販売してはいけないことを、プロジェクタ２０により投射される画像や図示しないスピーカからの音声によって報知する。
【０１０７】
〔第１０実施形態〕
次に、図２２を用いて第１０実施形態を説明する。
本実施形態の場合、制御部２２において、たばこ什器１００の使用状況や、たばこ什器１００の各部品の劣化状況を随時管理するようになっている。
たばこ什器１００の部品（一例として、プロジェクタ２０の電球）の交換時期が到来したと制御部２２が判定した場合、例えば、図２２に示すように、「エラー１２：プロジェクタ電球を交換してください。  ０１２０−ＸＸＸ−ＸＸＸ」とのパーツ交換情報表示５０を行う。オペレータは、パーツ交換情報表示５０に含まれる電話連絡先に電話することによって、部品の交換サービスを受けることができる。
【０１０８】
また、例えば、複数の店舗のたばこ什器１００がネットワーク経由で図示しないサーバ装置と通信接続されていて、サーバ装置が各種の情報（販売記録など）を随時収集するような場合が想定できる。このような場合に、ネットワークの遮断等の障害が発生した際には、例えば表示スクリーン１７において通信障害が発生した旨の報知表示などを行うようになっていてもよい。
【０１０９】
〔第１１実施形態〕
次に、図２３から図２４（ｂ）を用いて第１１実施形態を説明する。
上記の各実施形態では、たばこ什器１００がマガジン什器６０を備える例を説明したが、本実施形態の場合、たばこ什器１００は、マガジン什器６０の代わりに引出式什器８２を備えている。
引出式什器８２は、例えば、枠体８３と、オペレータが枠体８３から前方に引き出し可能に枠体８３によって保持されている複数の収容引出８４と、を備えている。
収容引出８４の前面壁８５には、当該収容引出８４を前方に引き出す際にオペレータが指を掛けるための取手部８６が設けられている。なお、収容引出８４を枠体８３から引き出した後、オペレータが収容引出８４を押し込むことにより、収容引出８４を再び枠体８３に収納させることができる。
本実施形態の場合、収容引出８４が収容領域である。
本実施形態の場合、プロジェクタ２０により収容引出８４の前面壁８５に画像を投射することによって、上記の各実施形態において説明したような各種の表示（前面壁１６において行われる表示と同様の各種の表示）が前面壁８５において行われる。
【０１１０】
本実施形態の場合、たばこ商品１１を取り出すべきでない収容引出８４を誤って引き出したり当該収容引出８４からたばこ商品１１を誤って取り出したりする誤取出操作や、補充すべきでない収容引出８４を誤って引き出したり当該収容引出８４にたばこ商品１１を誤って補充したりする誤補充動作を抑制できるように、たばこ什器１００は、以下に説明するロック機構８７を備えている。
【０１１１】
ロック機構８７は、銘柄指定情報取得部２７が取得した銘柄指定情報と対応する収容引出８４を選択的に枠体８３から引き出し可能にするためのものである。
ロック機構８７は、例えば、係止部材８９と、ソレノイド又はモータ等のロック用アクチュエータ（不図示）と、ロック用アクチュエータから係止部材８９に動力を伝達して係止部材８９を係止位置（図２４（ａ）の位置）と非係止位置（図２４（ｂ）の位置）とに移動させる動力伝達機構（不図示）と、停電時などにおいてオペレータが手動で係止部材８９を非係止位置と係止位置とに移動させるキー操作を行うためのキー差込部８８と、を備えている。
【０１１２】
係止位置は、収容引出８４を枠体８３から引き出そうとすると係止部材８９が枠体８３に係止される（引っ掛かる）ことで枠体８３からの収容引出８４の引き出しが規制される位置である。非係止位置は、枠体８３からの収容引出８４の引き出しの際に係止部材８９が枠体８３に係止されず（引っ掛からず）に、枠体８３からの収容引出８４の引き出しが許容される位置である。
キー差込部８８は、解除キー（不図示）が差し込まれる鍵穴を有している。オペレータが鍵穴に解除キーを差し込んで当該解除キーを回すことにより、係止部材８９を係止位置から非係止位置に移動させたり、非係止位置から係止位置に移動させたりできるようになっている。
なお、ここでは、ロック機構８７が収容引出８４に設けられていてロック状態では係止部材８９が枠体８３に引っ掛かる例を説明したが、ロック機構８７が枠体８３に設けられていてロック状態では係止部材８９が収容引出８４に引っ掛かるようになっていてもよい。
【０１１３】
本実施形態の場合、通常時においては、すべての収容引出８４と対応するロック機構８７の係止部材８９が係止位置にある。そして、銘柄指定情報取得部２７が銘柄指定情報を取得した場合に、制御部２２の制御下でロック用アクチュエータが係止部材８９を移動させることで、銘柄指定情報取得部２７が取得した銘柄指定情報と対応する収容引出８４が選択的に枠体８３から引き出し可能となる。
【０１１４】
〔第１２実施形態〕
次に、図２５及び図２６を用いて第１２実施形態を説明する。
本実施形態では、コンビニエンスストアなどの店舗に来店するユーザの携帯端末装置９０からたばこ什器１００の銘柄指定情報取得部２７が自動的に銘柄指定情報を取得し、プロジェクタ２０による画像の投射によってたばこ什器１００において表示（特定報知表示９１）を行う例を説明する。
【０１１５】
携帯端末装置９０とたばこ什器１００との間の通信の方式は、特に限定されないが、例えば、ブルートゥース（登録商標）などの近距離無線通信であることが挙げられる。
携帯端末装置９０の記憶部（不図示）には、予め、ユーザによって、当該ユーザが普段喫煙する銘柄（主喫銘柄）の情報が登録されている。
更には、たばこ什器１００が設定された店舗においてユーザの主喫銘柄が販売されている場合に、当該主喫銘柄のたばこ商品１１の場所を報知する特定報知表示９１を行うか否かの設定操作をユーザが携帯端末装置９０に対して予め行っているものとする。
【０１１６】
特定報知表示９１を行う設定をユーザが選択している場合、当該ユーザが携帯端末装置９０を所持して来店すると、たばこ什器１００の銘柄指定情報取得部２７は、自動的に携帯端末装置９０との間で近距離無線通信を行い、当該ユーザの主喫銘柄の情報を銘柄指定情報として取得する。
その結果、図２５に示すように、ユーザの主喫銘柄を収容しているマガジン１５の前面壁１６において、特定報知表示９１が行われる。
このため、ユーザは、たばこ什器１００において特定報知表示９１が行われていることを認識できる。よって、ユーザの購買意欲を向上させることができる。
【０１１７】
なお、携帯端末装置９０とたばこ什器１００との間の近距離無線通信は、例えば、携帯端末装置９０の電源がオンである場合とオフである場合とのいずれの場合においても行われる。
【０１１８】
また、特定報知表示９１を行う設定を各自の携帯端末装置９０に対して行っている複数のユーザが来店した場合には、各ユーザの主喫銘柄を各ユーザが遠目でも容易に認識できるように、ユーザ毎の表示態様で特定報知表示９１を行うようになっていることも好ましい。
一例として、各ユーザが選択した絵柄（例えば、自分の好みの果物、動物、その他のキャラクタ）の画像を含む特定報知表示９１や、各ユーザが選択した投影色での特定報知表示９１を行うことが挙げられる。
図２６の例では、携帯端末装置９０ａのユーザと携帯端末装置９０ｂのユーザとの２人のユーザが同一店舗に来店し、携帯端末装置９０ａにおいて設定されている画像（例えばパイナップルの画像）を含む特定報知表示９１ａと、携帯端末装置９０ｂにおいて設定されている画像（例えば、ぶどうの画像）を含む特定報知表示９１ｂと、が並列的に行われている。
【０１１９】
なお、上記の第１２実施形態では、銘柄指定情報取得部２７が銘柄指定情報を携帯端末装置９０から取得する例を説明したが、銘柄指定情報取得部２７は、例えば、たばこ商品１１のメーカーが管理するサーバ装置（不図示）から銘柄指定情報を取得してもよい。
この場合、銘柄指定情報取得部２７は、例えば、ユーザの識別情報（ＩＤ情報）のみを携帯端末装置９０から取得し、この識別情報と対応する主喫銘柄の情報（銘柄指定情報）をサーバ装置から取得する。
また、特定報知表示９１を行う設定をユーザが選択しているか否かを示す情報についても、銘柄指定情報取得部２７がサーバ装置から取得してもよい。
【０１２０】
以上、図面を参照して実施形態を説明したが、これは本発明の例示であり、上記以外の様々な構成を採用することもできる。
【０１２１】
例えば、たばこ商品１１を収容するたばこ什器１００は、天吊り式の什器であってもよい。
また、上記においては、購買者が購買しようとするたばこ商品１１の個数を店員が銘柄指定情報取得部２７に入力する例を説明したが、本発明は、この例に限らず、単に、店員が購買者から口頭で個数を聞き取り、聞き取った数のたばこ商品１１を店員が収容領域から取り出すようにしてもよい。
【０１２２】
また、上記においては、表示スクリーン１７がマガジン什器６０の前面部の横幅方向における中央部に配置されている例を説明したが、表示スクリーン１７は、他の位置、例えば、マガジン什器６０の前面部の横幅方向における端部又はマガジン什器６０の前面部の上部などに配置されていてもよい。
【０１２３】
また、上記においては、マガジン１５の前面壁１６や収容引出８４の前面壁８５において表示報知が行われる際に、併せて、収容領域とは異なる位置（例えば表示スクリーン１７）においても表示報知が行われる例を説明したが、本発明は、この例に限らず、収容領域とは異なる位置（例えば表示スクリーン１７）においてのみ表示報知が行われてもよい。
例えば、第１実施形態において表示スクリーン１７にて「最上段の右から３番目のマガジンからたばこを取り出してください」といった表示や「最上段の右から３番目のマガジンにたばこを補充してください」といった表示を行うことができる。同様に、第１１実施形態において表示スクリーン１７にて「最上段の右から３番目の引き出しからたばこを取り出してください」といった表示や「最上段の右から３番目の引き出しにたばこを補充してください」といった表示を行うことができる。これらの表示により、銘柄指定情報と対応する収容領域（マガジン１５や収容引出８４）では表示報知を行わずに、他の場所（表示スクリーン１７）にて、複数の収容領域のうち銘柄指定情報取得部２７が取得した銘柄指定情報と対応する収容領域を特定しうる態様での表示報知などが可能となる。
【０１２４】
また、上記においては、プロジェクタ２０により画像を投射することによって、複数の収容領域のうち銘柄指定情報取得部２７が取得した銘柄指定情報と対応する収容領域を特定しうる態様で表示を行う例を説明したが、本発明は、この例に限らず、複数の収容領域のうち銘柄指定情報取得部２７が取得した銘柄指定情報と対応する収容領域を特定しうる態様での表示は、ＬＥＤ等の発光部材やその他の表示体によって行われてもよい。
すなわち、本発明に係るたばこ什器１００は、一例として、それぞれ複数のたばこ商品１１をオペレータにより取り出し可能に収容する複数の収容領域と、たばこ商品１１の銘柄を指定する銘柄指定情報を取得する銘柄指定情報取得部２７と、複数の収容領域のうち銘柄指定情報取得部２７が取得した銘柄指定情報と対応する収容領域を特定しうる態様で表示を行わせる制御を行う制御部２２と、を備える。
【０１２５】
なお、本発明の各種の構成要素は、個々に独立した存在である必要はなく、一つの構成要素が他の構成要素の一部であること、ある構成要素の一部と他の構成要素の一部とが重複していること、等を許容する。
【０１２６】
本実施形態は以下の技術思想を包含する。
（１）それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行うたばこ什器。
（２）前記投射制御部は、前記銘柄指定情報と対応する前記収容領域を周囲と比べて目立たせる表示を前記画像投射部に行わせる（１）に記載のたばこ什器。
（３）前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせる（１）又は（２）に記載のたばこ什器。
（４）前記投射制御部は、前記取出要求と対応するたばこ商品を前記収容領域から取り出すべき個数を示す個数指定情報の表示を前記画像投射部に行わせる（３）に記載のたばこ什器。
（５）前記投射制御部は、前記取出要求と対応するたばこ商品が、店舗に設置された複数の販売端末のうちいずれの販売端末での販売用であるかを示す販売端末指定情報の表示を前記画像投射部に行わせる（３）又は（４）に記載のたばこ什器。
（６）前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせる（３）から（５）のいずれか一項に記載のたばこ什器。
（７）前記誤取出動作検出部は、
前記複数の収容領域からの前記たばこ商品の取り出し動作を撮像するカメラと、
前記カメラによる撮像結果を用いた画像認識により前記誤取出動作の有無を判定する誤取出動作判定部と、
を含んで構成されている（６）に記載のたばこ什器。
（８）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記誤取出動作検出部は、前記フラップ部の前傾動作を検出する前傾検出部を含んで構成されている（６）に記載のたばこ什器。
（９）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前後方向における前記スライダの位置を検出するスライダ位置検出部を含んで構成されている（６）に記載のたばこ什器。
（１０）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前記スライダの後方に設けられていて、前記スライダとの距離又は最後尾の前記たばこ商品との距離を検出する測距センサを含んで構成されている（６）に記載のたばこ什器。
（１１）前記複数の収容領域の各々における前記たばこ商品の残個数を管理する残個管理部を更に備え、
前記投射制御部は、前記残個管理部による管理結果に応じて、前記収容領域への前記たばこ商品の補充を促す補充報知表示を前記画像投射部に行わせる（１）から（１０）のいずれか一項に記載のたばこ什器。
（１２）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
前後方向における前記スライダの位置に応じて揺動する揺動部材と、
を備え、
前記残個管理部は、前記揺動部材の揺動を検出する揺動検出部を含んで構成されている（１１）に記載のたばこ什器。
（１３）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記収容領域を有する本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記残個管理部は、前記フラップ部の前傾動作を検出する前傾検出部を含んで構成されている（１１）に記載のたばこ什器。
（１４）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前後方向における前記スライダの位置を検出するスライダ位置検出部を含んで構成されている（１１）に記載のたばこ什器。
（１５）前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前記スライダの後方に設けられていて、前記スライダとの距離又は最後尾の前記たばこ商品との距離を検出する測距センサを含んで構成されている（１１）に記載のたばこ什器。
（１６）前記複数の収容領域の各々における前記たばこ商品の残個数を管理する残個管理部を更に備え、
前記投射制御部は、
前記残個管理部による管理結果に応じて、前記収容領域への前記たばこ商品の補充を促す補充報知表示を前記画像投射部に行わせ、
且つ、前記補充報知表示と前記取出報知表示とを互いに異なる態様で並行して前記画像投射部に行わせることが可能である（３）から（１０）のいずれか一項に記載のたばこ什器。
（１７）前記投射制御部は、通常時においては、前記収容領域に収容されている前記たばこ商品と対応する通常表示を当該収容領域において行わせ、
前記銘柄指定情報取得部が前記銘柄指定情報を取得した場合には、当該銘柄指定情報と対応する前記収容領域において、前記通常表示とは異なる態様での特定報知表示を行わせる（１）から（１６）のいずれか一項に記載のたばこ什器。
（１８）前記投射制御部は、
前記銘柄指定情報取得部が前記銘柄指定情報を取得した場合には、当該銘柄指定情報と対応する前記収容領域において、前記通常表示と前記特定報知表示との双方を行わせる（１７）に記載のたばこ什器。
（１９）前記収容領域に新規のたばこ商品を収容させる旨の要求である新規収容要求を受け付ける新規収容要求受付部を備え、
前記投射制御部は、前記新規収容要求受付部が前記新規収容要求を受け付けた場合に、前記新規のたばこ商品を収容する前記収容領域の候補を案内する候補領域案内表示を前記画像投射部に行わせる（１）から（１８）のいずれか一項に記載のたばこ什器。
（２０）前記オペレータは店舗の店員であり、
前記銘柄指定情報取得部は、前記店員により入力される前記銘柄指定情報を取得する（１）から（１９）のいずれか一項に記載のたばこ什器。
【符号の説明】
【０１２７】
１０  投射ユニット
１１  たばこ商品
１２  マガジン収容棚
１３  棚板
１４  後部壁
１５  マガジン（収容領域）
１６  前面壁（フラップ部）
１６ａ  被軸支突起
１６ｂ  被ガイド突起
１６ｃ  押圧突起
１７  表示スクリーン
１８  支柱部
１９  支持部
２０  プロジェクタ
２１  カメラ
２２  制御部
２３  ＣＰＵ
２４  ＲＯＭ
２５  ＲＡＭ
２６  記憶部
２７  銘柄指定情報取得部
２８  バーコードリーダ
２９  測距センサ
３１  搭載部
３１ａ  本体部
３２  側壁
３３  底板部
３３ａ  スリット
３４  後面壁
３５  スライダ
３５ａ  下部
３６  付勢部
３７  通常表示
３８  取出報知表示（特定報知表示）
３９  取出報知表示
４０  誤取出報知表示
４２  取出報知表示
４３  残個数表示
４４  補充報知表示
４４ａ  文字情報
４４ｂ  画像情報
４５  補充報知表示
４６  誤補充報知表示
４７  候補領域案内表示
４８  不良品情報表示
４９  不良品情報表示
５０  パーツ交換情報表示
５１  販売カウンタ
５２、５２ａ、５２ｂ  電子キャッシュレジスタ（販売端末）
５３、５３ａ、５３ｂ  店員
５４  什器設置カウンタ
５５  床面
６０  マガジン什器
６１  カートン什器
６２  枠体
６３  引出棚
６４  引出棚報知発光部
６５  取手部
６６  電極
６７  電極ユニット
６８  ワイヤ
６８ａ  先端部
６９  電極
７０  揺動部材
７０ａ  前側部分
７０ｂ  後側部分
７１  軸支部
７２  スイッチ
７４  軸支孔
７５  ガイド孔
７６  スイッチ
８０  操作タブレット
８１  表示画面
８２  引出式什器
８３  枠体
８４  収容引出（収容領域）
８５  前面壁
８６  取手部
８７  ロック機構
８８  キー差込部
８９  係止部材
９０、９０ａ、９０ｂ  携帯端末装置
９１、９１ａ、９１ｂ  特定報知表示
１００  たばこ什器
【図１】
2019216881.tif 000003
【図２】
2019216881.tif 000004
【図３】
2019216881.tif 000005
【図４】
2019216881.tif 000006
【図５】
2019216881.tif 000007
【図６】
2019216881.tif 000008
【図７】
2019216881.tif 000009
【図８】
2019216881.tif 000010
【図９】
2019216881.tif 000011
【図１０】
2019216881.tif 000012
【図１１】
2019216881.tif 000013
【図１２】
2019216881.tif 000014
【図１３】
2019216881.tif 000015
【図１４】
2019216881.tif 000016
【図１５】
2019216881.tif 000017
【図１６】
2019216881.tif 000018
【図１７】
2019216881.tif 000019
【図１８】
2019216881.tif 000020
【図１９】
2019216881.tif 000021
【図２０】
2019216881.tif 000022
【図２１】
2019216881.tif 000023
【図２２】
2019216881.tif 000024
【図２３】
2019216881.tif 000025
【図２４】
2019216881.tif 000026
【図２５】
2019216881.tif 000027
【図２６】
2019216881.tif 000028
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記投射制御部は、前記取出要求と対応するたばこ商品が、店舗に設置された複数の販売端末のうちいずれの販売端末での販売用であるかを示す販売端末指定情報の表示を前記画像投射部に行わせ、
前記画像投射部は、前記販売端末指定情報を、前記複数の収容領域のうち、前記取出要求と対応するたばこ商品を収容している前記収容領域に表示するたばこ什器。
【請求項２】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記誤取出動作検出部は、前記フラップ部の前傾動作を検出する前傾検出部を含んで構成されているたばこ什器。
【請求項３】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前後方向における前記スライダの位置を検出するスライダ位置検出部を含んで構成されているたばこ什器。
【請求項４】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前記スライダの後方に設けられていて、前記スライダとの距離又は最後尾の前記たばこ商品との距離を検出する測距センサを含んで構成されているたばこ什器。
【請求項５】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記複数の収容領域の各々における前記たばこ商品の残個数を管理する残個管理部を更に備え、
前記投射制御部は、前記残個管理部による管理結果に応じて、前記収容領域への前記たばこ商品の補充を促す補充報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
前後方向における前記スライダの位置に応じて揺動する揺動部材と、
を備え、
前記残個管理部は、前記揺動部材の揺動を検出する揺動検出部を含んで構成されているたばこ什器。
【請求項６】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記複数の収容領域の各々における前記たばこ商品の残個数を管理する残個管理部を更に備え、
前記投射制御部は、前記残個管理部による管理結果に応じて、前記収容領域への前記たばこ商品の補充を促す補充報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記収容領域を有する本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記残個管理部は、前記フラップ部の前傾動作を検出する前傾検出部を含んで構成されているたばこ什器。
【請求項７】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記複数の収容領域の各々における前記たばこ商品の残個数を管理する残個管理部を更に備え、
前記投射制御部は、前記残個管理部による管理結果に応じて、前記収容領域への前記たばこ商品の補充を促す補充報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前後方向における前記スライダの位置を検出するスライダ位置検出部を含んで構成されているたばこ什器。
【請求項８】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記複数の収容領域の各々における前記たばこ商品の残個数を管理する残個管理部を更に備え、
前記投射制御部は、前記残個管理部による管理結果に応じて、前記収容領域への前記たばこ商品の補充を促す補充報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記残個管理部は、前記スライダの後方に設けられていて、前記スライダとの距離又は最後尾の前記たばこ商品との距離を検出する測距センサを含んで構成されているたばこ什器。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記投射制御部は、前記取出要求と対応するたばこ商品が、店舗に設置された複数の販売端末のうちいずれの販売端末での販売用であるかを示す販売端末指定情報の表示を前記画像投射部に行わせ、
前記画像投射部は、前記販売端末指定情報を、前記複数の収容領域のうち、前記取出要求と対応するたばこ商品を収容している前記収容領域に表示するたばこ什器。
【請求項２】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記搭載部は、
前記複数のたばこ商品が搭載される本体部と、
前記本体部の前端部に対して揺動可能に設けられていて当該搭載部の前面壁を構成しているフラップ部と、
を備え、
前記フラップ部は、前記搭載部の先頭位置に搭載されている前記たばこ商品が当該搭載部から取り出される際に前記本体部に対して相対的に前傾するようになっており、
前記誤取出動作検出部は、前記フラップ部の前傾動作を検出する前傾検出部を含んで構成されているたばこ什器。
【請求項３】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前後方向における前記スライダの位置を検出するスライダ位置検出部を含んで構成されているたばこ什器。
【請求項４】
それぞれ複数のたばこ商品をオペレータにより取り出し可能に収容する複数の収容領域と、
たばこ商品の銘柄を指定する銘柄指定情報を取得する銘柄指定情報取得部と、
画像を投射することで、前記画像の投射範囲における表示を行う画像投射部と、
前記画像投射部の動作制御を行う投射制御部と、
を備え、
前記投射制御部は、前記複数の収容領域のうち前記銘柄指定情報取得部が取得した前記銘柄指定情報と対応する収容領域を特定しうる態様で前記画像投射部に表示を行わせる制御を行い、
前記銘柄指定情報取得部は、たばこ商品の取出要求と、当該取出要求と対応する前記銘柄指定情報と、を取得し、
前記投射制御部は、前記収容領域からの前記たばこ商品の取り出しを促す取出報知表示を前記画像投射部に行わせ、
前記取出要求とは異なる前記収容領域からの前記たばこ商品の取り出し動作である誤取出動作を検出する誤取出動作検出部を備え、
前記投射制御部は、前記誤取出動作が発生した場合に、取り出し動作が誤りである旨の誤取出報知表示を前記画像投射部に行わせ、
前記複数の収容領域の各々はマガジンであり、
前記マガジンは、
複数のたばこ商品が前後に並ぶ整列状態で搭載される搭載部と、
前記搭載部に沿って前後に移動可能に設けられているスライダと、
前記スライダを前方に向けて付勢している付勢部と、
を備え、
前記誤取出動作検出部は、前記スライダの後方に設けられていて、前記スライダとの距離又は最後尾の前記たばこ商品との距離を検出する測距センサを含んで構成されているたばこ什器。